(57)【特許請求の範囲】
【請求項１】
輪転機において折り機と載荷コンベヤー部をつなぐ折り連結部であって、
折り機から搬入された印刷物を幅方向にスライドさせ、その印刷物の幅方向中央を、載荷コンベヤー部の後段に配置されたグリッパーのつかみ位置に合わせるスライド機構として、支点を中心に印刷物の幅方向に首振りするスライドコンベヤーを備え、
前記スライドコンベヤーの支点は、前記グリッパーのつかみ位置と同一軸線上に位置し、前記印刷物の幅方向中央が前記スライドコンベヤーの支点に向かうように、前記スライドコンベアを首振りさせる輪転機の折り連結部。
【発明の詳細な説明】
【技術分野】
【０００１】
本発明は、輪転機において折り機と載荷コンベヤー部をつなぐ折り連結部に関する。
【背景技術】
【０００２】
新聞等を印刷する輪転機では、折り機で最終形状とされた印刷物を折り連結部及び載荷コンベヤー部を介してグリッパーへ送り込む（非特許文献１参照）。そして、グリッパーは印刷物を一部ずつつかみ、所定の脱荷位置まで搬送する。
【０００３】
従来、とくに新聞を印刷する輪転機の場合、新聞の幅は一定であることを前提としていたため、折り連結部では新聞（印刷物）を単に平行に搬送するようにしていた。
【０００４】
ところが、印刷物の幅が変わった場合、折り機の機構上、折り機による印刷物の山折り部は搬送路の一側部に揃うので、折り連結部において搬送される印刷物の幅方向中央位置がずれてしまう。
【０００５】
一方で、印刷物の幅方向に対するグリッパーの位置は固定されているので、印刷物の幅の変化によって折り連結部における印刷物の幅方向中央位置がずれると、グリッパーのつかみ位置が印刷物の幅方向中央からずれてしまう。そうすると、印刷物がグリッパーによって適切に搬送されず、搬送の途中で印刷物が脱落あるいは破損したり、印刷物が汚れるなどの問題が生じる。また、印刷物が所定の脱荷位置に落とされず、その後のカウンタースタッカーへの収納に支障が生じる。
【先行技術文献】
【非特許文献】
【０００６】
【非特許文献１】社団法人日本新聞協会技術委員会編、「新聞印刷ハンドブック  改訂版」、社団法人日本新聞協会、２００６年４月１日、ｐ．２６６
【発明の概要】
【発明が解決しようとする課題】
【０００７】
本発明が解決しようとする課題は、印刷物の幅が変わったとしても、常に印刷物の幅方向中央をグリッパーでつかむことができるようにする輪転機の折り連結部を提供することにある。
【課題を解決するための手段】
【０００８】
本発明は、輪転機において折り機と載荷コンベヤー部をつなぐ折り連結部であって、折り機から搬入された印刷物を幅方向にスライドさせ、その印刷物の幅方向中央を、載荷コンベヤー部の後段に配置されたグリッパーのつかみ位置に合わせるスライド機構として、支点を中心に印刷物の幅方向に首振りするスライドコンベヤーを備え、前記スライドコンベヤーの支点は、前記グリッパーのつかみ位置と同一軸線上に位置し、前記印刷物の幅方向中央が前記スライドコンベヤーの支点に向かうように、前記スライドコンベアを首振りさせることを特徴とするものである。
【発明の効果】
【００１０】
本発明によれば、スライド機構によって、折り機から搬入された印刷物を幅方向にスライドさせ、その印刷物の幅方向中央を、載荷コンベヤー部の後段に配置されたグリッパーのつかみ位置に合わせることができるので、印刷物の幅が変わったとしても、常に印刷物の幅方向中央をグリッパーでつかむことができるようになる。
【図面の簡単な説明】
【００１１】
【図１】本発明の折り連結部とその近傍を示す平面図である。
【図２】図１のＡ方向矢視図である。
【図３】図２のＢ方向矢視図である。
【図４】図２のＣ方向矢視図である。
【図５】図２のＤ方向矢視図である。
【図６】本発明の作用を示す概略平面図である。
【発明を実施するための形態】
【００１２】
以下、図面に示す実施例に基づき本発明の実施の形態を説明する。
【００１３】
図１は、本発明の折り連結部とその近傍を示す平面図である。輪転機において、折り連結部２０は折り機１０と載荷コンベヤー部３０をつなぐ。すなわち、折り連結部２０は、折り機１０のデリバリーベルト１１から印刷物を受け取り、これを載荷コンベヤー部３０まで搬送する。そして載荷コンベヤー部３０は、印刷物をグリッパー（図示せず）の待機位置まで搬送する。グリッパーは印刷物を一部ずつつかみ、これを所定の脱荷位置まで搬送する。なお、図１中の符号３１は載荷コンベヤー部３０において搬送される印刷部の幅方向の位置を揃える紙揃え装置である。
【００１４】
図１に示す折り連結部２０は、印刷物を幅方向にスライドさせ、その印刷物の幅方向中央をグリッパーのつかみ位置に合わせるスライド機構として、支点４１を中心に印刷物の幅方向に首振りするスライドコンベヤー４０を備えている。
【００１５】
図２〜５を参照すると、スライドコンベヤー４０は支点４１を含む架台４２に支持されており、この架台４２が支点４１を中心に印刷物の幅方向に首振りすることで、スライドコンベヤー４０が同様に首振りする。
【００１６】
図４及び５に示すように、架台４２には雌ねじ部４３が一体的に設けられており、雌ねじ部４３には雄ねじ棒４４が螺合されている。雄ねじ棒４４の先端４４ａは雄ねじ棒４４が進退しないように固定されている。したがって、雄ねじ棒４４の操作部４４ｂを手動又は電動により操作して雄ねじ棒４４を回転させると、雌ねじ部４３が印刷物の幅方向（図４及び５において上下方向）にスライドする。上述のとおり雌ねじ部４３は架台４２に一体的に設けられているので、架台４２は雌ねじ部４３のスライドに伴い、支点４１を中心に印刷物の幅方向に首振りする。これによって架台４２に支持されたスライドコンベヤー４０が支点４１を中心に印刷物の幅方向に首振りする。なお、折り連結部２０（スライドコンベヤー４０）の駆動は折り機１０からとり、輪転機停止時は単独モータで駆動している。
【００１７】
次に本発明の折り連結部の作用を図６を参照して説明する。
【００１８】
図６（ａ）は印刷物Ｐ１を搬送する場合を示す。この場合、折り機１０からスライドコンベヤー４０に搬送された印刷物Ｐ１の幅方向中央位置はグリッパーのつかみ位置Ｃ１と一致している。したがって、スライドコンベヤー４０は印刷物の搬入方向と平行にし、そのまま印刷物Ｐ１を搬送する。
【００１９】
図６（ｂ）は印刷物Ｐ１よりも幅広の印刷物Ｐ２を搬送する場合を示す。この場合、折り機１０の機構上、折り機１０による印刷物Ｐ２の山折り部（図面上Ｐ２の上辺）の位置は上述の印刷物Ｐ１の山折り部と一致することから、スライドコンベヤー４０に搬送された印刷物Ｐ２の幅方向中央位置はグリッパーのつかみ位置Ｃ１より図６（ｂ）において下側にずれているので、スライドコンベヤー４０を図６（ｂ）において下側に首振りさせる。そうすると、印刷物Ｐ２は図６（ｂ）において上側にスライドしながら搬送され、印刷物Ｐ２の幅方向中央位置がグリッパーのつかみ位置Ｃ１と一致するようになる。
【００２０】
図６（ｃ）は印刷物Ｐ１よりも幅狭の印刷物Ｐ３を搬送する場合を示す。この場合、折り機１０の機構上、折り機１０による印刷物Ｐ３の山折り部（図面上Ｐ３の上辺）の位置は上述の印刷物Ｐ１の山折り部と一致することから、スライドコンベヤー４０に搬送された印刷物Ｐ３の幅方向中央位置はグリッパーのつかみ位置Ｃ１より図６（ｃ）において上側にずれているので、スライドコンベヤー４０を図６（ｃ）において上側に首振りさせる。そうすると、印刷物Ｐ３は図６（ｃ）において下側にスライドしながら搬送され、印刷物Ｐ３の幅方向中央位置がグリッパーのつかみ位置Ｃ１と一致するようになる。
【００２１】
このように、各印刷部Ｐ１〜Ｐ３の幅に応じてスライドコンベヤー４０を首振りさせて、各印刷物Ｐ１〜Ｐ３の幅方向中央位置をグリッパーのつかみ位置Ｃ１と一致させることができる。
【００２２】
なお、上述の実施例では、３種類の印刷物Ｐ１〜Ｐ３の搬送について説明し、印刷物Ｐ１の場合にはスライドコンベヤー４０を首振りさせずに搬送するようにしたが、２種類の印刷物を搬送する場合には、２種類の印刷物のいずれの場合も、その印刷物の幅方向中央位置がグリッパーのつかみ位置Ｃ１と一致するようにスライドコンベヤー４０を首振りさせるようにすることもできる。
【符号の説明】
【００２３】
１０  折り機
１１  デリバリーベルト
２０  折り連結部
３０  載荷コンベヤー部
３１  紙揃え装置
４０  スライドコンベヤー
４１  支点
４２  架台
４３  雌ねじ部
４４  雄ねじ棒
【図１】
0005464691.tif 000002
【図２】
0005464691.tif 000003
【図３】
0005464691.tif 000004
【図４】
0005464691.tif 000005
【図５】
0005464691.tif 000006
【図６】
0005464691.tif 000007